(57)【特許請求の範囲】
【請求項１】
包絡線追跡増幅器回路であって、
電力増幅器、
入力信号の無線周波数成分を前記電力増幅器の入力に結合するように構成された無線周波数経路、
前記電力増幅器の供給電圧を包絡線信号で変調するように構成された包絡線経路であって、前記包絡線信号を得るために包絡線整形関数を使用して前記入力信号の包絡線を整形するように構成された包絡線整形モジュールを備える、包絡線経路、および、
前記無線周波数経路および前記包絡線経路の相対タイミングアライメントを変化させるように構成された遅延ブロック
を備える、包絡線追跡増幅器回路と、
前記包絡線整形モジュールによって使用される前記包絡線整形関数の指示のための記憶装置と、
プロセッサと、を備え、
前記プロセッサが、前記包絡線整形モジュールによって使用される前記包絡線整形関数を決定するために、
前記包絡線追跡増幅器回路に試験信号を印加し、前記無線周波数経路と前記包絡線経路の間の前記相対タイミングアライメントの掃引にわたって前記遅延ブロックを制御することと、
相対タイミングアライメントの前記掃引に対する前記包絡線追跡増幅器回路の出力のひずみの平均測度を決定することと、
前記包絡線追跡増幅器回路の出力のひずみの前記平均測度を、先行する反復に対する前記包絡線追跡増幅器回路の前記出力のひずみの平均測度と比較することと、
前記包絡線整形関数のために、前記先行する反復に対する前記包絡線追跡増幅器回路の前記出力のひずみの前記平均測度が、決定された前記包絡線追跡増幅器回路の前記出力のひずみの前記平均測度未満である場合、前記先行する反復から第１のパラメータの値を選択することと、
前記第１のパラメータに対して選択された値を有する前記包絡線整形関数の指示を前記記憶装置に記憶することと
によって、汎用包絡線整形関数の前記第１のパラメータの値を反復して探索するように動作することができる、
送信機。
【請求項２】
前記プロセッサが、前記無線周波数経路と前記包絡線経路の間の最適タイミングアライメントを決定し、また、前記最適タイミングアライメントをメモリに記憶するようにさらに動作することができる、請求項１に記載の送信機。
【請求項３】
前記ひずみの測度が隣接チャネル電力比である、請求項１に記載の送信機。
【請求項４】
前記プロセッサが、第２のパラメータの値を最適化するようにさらに動作することができる、請求項１に記載の送信機。
【請求項５】
前記プロセッサが、効率および／または直線性に基づいて前記包絡線整形関数を選択するようにさらに動作することができる、請求項１に記載の送信機。
【請求項６】
包絡線追跡増幅器回路のための包絡線整形関数を最適化する方法であって、
前記包絡線追跡増幅器回路が、
電力増幅器と、
入力信号の無線周波数成分を前記電力増幅器の入力に結合するように構成された無線周波数経路と、
前記包絡線整形関数に従って前記入力信号の包絡線信号を整形するように構成された包絡線整形モジュールを備える包絡線経路であって、前記整形された包絡線信号に応じて前記電力増幅器の供給電圧を修正するように構成される、包絡線経路と、および、
前記無線周波数経路および前記包絡線経路の相対タイミングアライメントを変化させるように構成された遅延ブロックと、を備え、
前記方法が、前記包絡線整形モジュールによって使用される前記包絡線整形関数を決定するために、
前記包絡線追跡増幅器回路に試験信号を印加し、前記無線周波数経路と前記包絡線経路の間の前記相対タイミングアライメントの掃引にわたって前記遅延ブロックを制御することと、
前記相対タイミングアライメントの前記掃引に対する前記包絡線追跡増幅器回路の出力のひずみの平均測度を決定することと、
前記包絡線追跡増幅器回路の出力のひずみの前記平均測度を、先行する反復に対する前記包絡線追跡増幅器回路の前記出力のひずみの平均測度と比較することと、
前記包絡線整形関数のために、前記先行する反復に対する前記包絡線追跡増幅器回路の前記出力のひずみの前記平均測度が、前記包絡線追跡増幅器回路の前記出力のひずみの決定された平均測度未満である場合、前記先行する反復から第１のパラメータの値を選択することと
によって、汎用包絡線整形関数の前記第１のパラメータの値を反復して探索することを備える、方法。
【請求項７】
前記無線周波数経路と前記包絡線経路の間の最適タイミングアライメントを決定し、また、前記最適タイミングアライメントをメモリに記憶することをさらに備える、請求項６に記載の方法。
【請求項８】
前記ひずみの測度が隣接チャネル電力比である、請求項６に記載の方法。
【請求項９】
第２のパラメータの値を最適化することをさらに備える、請求項６に記載の方法。
【請求項１０】
効率および／または直線性に基づいて前記包絡線整形関数を選択することをさらに備える、請求項６に記載の方法。
【発明の詳細な説明】
【技術分野】
【０００１】
本明細書において説明される実施形態は、一般に無線周波数電力増幅器における包絡線整形（envelope shaping）および包絡線追跡（envelope tracking）に関する。
【背景技術】
【０００２】
包絡線追跡（ＥＴ：Envelope tracking）は、次の世代の高効率無線周波数（ＲＦ）電力増幅器（ＰＡ）のための実行可能なコンテンダ（viable contender）である。ＥＴが抱えている１つの主要な課題は、ＲＦと包絡線経路の間のタイミングアライメント（timing alignment）である。不正確なアライメントは、隣接チャネル電力比（ＡＣＰＲ：adjacent channel power ratio）およびエラー・ベクトル・マグニチュード（ＥＶＭ：error vector magnitude）の劣化として出現するひずみを生成する。
【０００３】
複雑な較正ルーチンおよびハードウェアがこれを克服するために提案されている。これは、大電力送信機では許容可能であるが、低電力アプリケーションに対しては、過剰な電力消費およびコストが重大なオーバーヘッドである。  
実施形態は、添付の図面を参照して、限定されない例として説明される。
【図面の簡単な説明】
【０００４】
【図１】図１ａは一実施形態による包絡線追跡送信機を示す図であり、図１ｂは一実施形態による包絡線追跡送信機の出力信号および包絡線信号を示す図。
【図２】図２ａ−ｃはタイミングアライメントの影響を示すグラフ。
【図３】一実施形態において適用される包絡線整形の形態を示すグラフ。
【図４】包絡線整形の異なるレベルを示すグラフ。
【図５】包絡線整形がない場合の包絡線経路と無線周波数経路の間の相対遅延に対する信号電力および隣接チャネル電力比（ＡＣＰＲ）を示すグラフ。
【図６】包絡線整形を有する一実施形態における、包絡線経路と無線周波数経路の間の相対遅延に対する信号電力および隣接チャネル電力比（ＡＣＰＲ）を示すグラフ。
【図７】一実施形態による送信機において使用される変調器の周波数応答を示すグラフ。
【図８】図７に示されている周波数応答を考慮した包絡線整形を有する一実施形態における、包絡線経路と無線周波数経路の間の相対遅延に対する信号電力および隣接チャネル電力比（ＡＣＰＲ）を示すグラフ。
【図９】一実施形態による送信機を示す図。
【図１０】一実施形態による、包絡線整形関数を決定する方法を示すフローチャート。
【詳細な説明】
【０００５】
一実施形態では、送信機が開示される。送信機は、包絡線追跡増幅器回路（envelope tracking amplifier circuit）であって、電力増幅器、入力信号の無線周波数成分を電力増幅器の入力に結合するように構成された無線周波数経路、電力増幅器の供給電圧を包絡線信号で変調するように構成された包絡線経路であって、包絡線信号を得るために包絡線整形関数を使用して入力信号の包絡線を整形する（shape）ように構成された包絡線整形モジュールを備える包絡線経路、および、無線周波数経路および包絡線経路の相対タイミングアライメントを変化させるように構成された遅延ブロック、を備える包絡線追跡増幅器回路と、包絡線整形モジュールによって使用される包絡線整形関数の指示のための記憶装置と、プロセッサであって、包絡線追跡増幅器回路に試験信号を印加し、無線周波数経路と包絡線経路の間の相対タイミングアライメントの掃引にわたって（over a sweep）遅延ブロックを制御することと、相対タイミングアライメントの掃引に対する包絡線追跡増幅器回路の出力のひずみの平均測度（average measure）を決定することと、包絡線追跡増幅器回路の出力のひずみの平均測度を、先行する反復（previous iteration）に対する包絡線追跡増幅器回路の出力のひずみの平均測度と比較することと、包絡線整形関数のために、先行する反復に対する包絡線追跡増幅器回路の出力のひずみの平均測度が、決定された包絡線追跡増幅器回路の出力のひずみの平均測度未満である場合、先行する反復から第１のパラメータの値を選択することと、第１のパラメータに対して選択された値を有する包絡線整形関数の指示を記憶装置に記憶することとによって、汎用包絡線整形関数（generic envelope shaping function）の第１のパラメータの値を反復して探索するように動作することができるプロセッサと、を備える。
【０００６】
一実施形態では、プロセッサは、無線周波数経路と包絡線経路の間の最適タイミングアライメントを決定し、また、最適タイミングアライメントをメモリに記憶するようにさらに動作することができる。
【０００７】
一実施形態では、ひずみの測度は隣接チャネル電力比である。
【０００８】
一実施形態では、プロセッサは、第２のパラメータの値を最適化するようにさらに動作することができる。
【０００９】
一実施形態では、プロセッサは、効率および／または直線性に基づいて包絡線整形関数を選択するようにさらに動作することができる。
【００１０】
一実施形態では、包絡線追跡増幅器回路のための包絡線整形関数を最適化する方法が開示される。包絡線追跡増幅器回路は、電力増幅器と、入力信号の無線周波数成分を電力増幅器の入力に結合するように構成された無線周波数経路と、包絡線整形関数に従って入力信号の包絡線信号を整形するように構成された包絡線整形モジュールを備える包絡線経路と、この包絡線経路は、整形された包絡線信号に応じて電力増幅器の供給電圧を修正するように構成される、および、無線周波数経路および包絡線経路の相対タイミングアライメントを変化させるように構成された遅延ブロックと、を備える。方法は、包絡線追跡増幅器回路に試験信号を印加し、無線周波数経路と包絡線経路の間の相対タイミングアライメントの掃引にわたって遅延ブロックを制御することと、相対タイミングアライメントの掃引に対する包絡線追跡増幅器回路の出力のひずみの平均測度を決定することと、包絡線追跡増幅器回路の出力のひずみの平均測度を、先行する反復に対する包絡線追跡増幅器回路の出力のひずみの平均測度と比較することと、包絡線整形関数のために、先行する反復に対する包絡線追跡増幅器回路の出力のひずみの平均測度が、包絡線追跡増幅器回路の出力のひずみの決定された平均測度未満である場合、先行する反復から第１のパラメータの値を選択することとによって、汎用包絡線整形関数の第１のパラメータの値を反復して探索することを備える。
【００１１】
一実施形態では、方法は、無線周波数経路と包絡線経路の間の最適タイミングアライメントを決定し、また、最適タイミングアライメントをメモリに記憶することをさらに備える。
【００１２】
一実施形態では、ひずみの測度は隣接チャネル電力比である。
【００１３】
一実施形態では、方法は、第２のパラメータの値を最適化することをさらに備える。
【００１４】
一実施形態では、方法は、効率および／または直線性に基づいて包絡線整形関数を選択することをさらに備える。
【００１５】
図１ａは、一実施形態による包絡線追跡送信機を示したものである。図１ａに示されている回路は、同相成分Ｉ（in-phase component I）および直角成分Ｑ（quadrature component Q）を有するベースバンド入力信号を増幅する。回路は電力増幅器１０を備えている。回路は、無線周波数（ＲＦ）経路２０および包絡線経路３０を備えている。ＲＦ経路２０は、遅延ブロック２２およびアップコンバータ２４を備えている。入力信号の無線周波数成分ＶRFは、ＲＦ経路２０によって電力増幅器１０の入力に結合されている。包絡線経路３０は、包絡線発生器および整形モジュール３２、ならびに包絡線変調器３４を備えている。包絡線発生器および整形モジュール３２は、包絡線整形関数を使用して包絡線信号を発生する。包絡線変調器３４は、電力増幅器１０の供給電圧を包絡線信号Ｖenvで変調する。閉ループアーキテクチャが使用されており、それにより出力ＲＦ信号（Ｖout）の一部がサンプルされ、ベースバンドにフィードバックされる。
【００１６】
図１ｂは、ちょうどよい時に整列した場合の出力信号Ｖoutおよび包絡線信号Ｖenvを示したものである。ＥＴ送信機におけるタイミングミスアライメントは大きな問題である。ＲＦ経路と包絡線経路の間のタイミングアライメントは、出力がフィードバック信号を介してモニタされている間にデジタルベースバンド内で調整される。最大忠実度（maximum fidelity）（すなわち最小ひずみ）は、ＲＦ（ＶRF）信号と包絡線（Ｖenv）信号の間の最適タイミングアライメントにおいて達成される。
【００１７】
タイミングアライメントの影響は、図２ａから２ｃに示されている。図２ａは、ＲＦ（ＶRF）信号および包絡線（Ｖenv）信号がちょうどよい時に整列される場合の出力信号Ｖoutおよび包絡線信号Ｖenvを示したものである。図２ａに示されているように、ＲＦ信号および包絡線信号がちょうどよい時に整列されると、出力信号のひずみは存在しない。図２ｂは、包絡線信号がＲＦ信号より立ち遅れる（lags behind）場合の出力信号および包絡線信号を示したものである。図２ｂに示されているように、電力増幅器への供給電圧が最大出力電圧を、図２ｂに点線で示されている特定のポイントにおける必要な出力より小さい値に制限しているため、出力信号がゆがめられている。図２ｃは、包絡線信号がＲＦ信号に先行する場合の出力信号および包絡線信号を示したものである。図２ｃに示されているように、電力増幅器への供給電圧が必要な出力電圧を与えるだけの十分な高さにない場合、出力信号がゆがめられる。
【００１８】
実施形態では、包絡線整形（ＥＳ）関数は、ＲＦ増幅器のドレインに供給される包絡線電圧を整形するために使用される。これはタイミングアライメント感度を低下させ、延いてはひずみを低減させる。隣接チャネル電力比（ＡＣＰＲ）はひずみの測度である。ＥＳはまた、実施形態では、効率を改善するために使用される。
【００１９】
タイミングアライメントに対する感度は、ＥＳ関数を選択する場合に考慮される。経路間の遅延オフセットは、周波数、温度および構成要素許容誤差（component tolerance）と共に変化し得るため、タイミングアライメント感度は重要である。本明細書において説明される実施形態は、複雑な問題に対する単純な解決法を提供する。したがって改善された信頼性と共にコスト節約が可能である。
【００２０】
図３は、一実施形態において適用される包絡線整形の形態を示したものである。図３に示されている形態の包絡線整形はＶenvに適用される。入力は、ベースバンド入力信号｜Ｉ＋Ｑ｜のマグニチュード（magnitude）である。これは数学的に操作され、したがってＶenvは｜Ｉ＋Ｑ｜のピーク値と同じピーク値を有しているが、図３に示されているようにより大きい最小値を有する。タイミングアライメントに対する鈍化（senility）の低減に加えて、ＥＳ関数はまた、直線性および効率を最大化するために最適化され得る。
【００２１】
図４は、包絡線整形の異なるレベルを示したものである。図４では、整形がより多く適用されるにつれて、ＶenvはＶoutをヌルへ持ち込（track Vout into the nulls）まないことが分かる。ヌルにおいて遭遇するいかなるミスアライメントも、図２に示されているひずみをもたらす。したがって包絡線整形を増加させることは、ひずみの量を低減させる。
【００２２】
高いタイミングアライメント精度がナノ秒ベースで要求される場合、デジタルベースバンドと、また包絡線追跡に使用されるデジタル−アナログ変換器との両方に対して高いサンプリングレートが要求される。電力消費はサンプルレートとともにスケールする（scales with sample rates）ため、これは問題である。通常、タイミングアライメントは、ひずみを最小にするために調整される。しかしながらこれは、単純な低電力ＥＴ実施態様に対しては適していない。実施形態で提案される手法は、低コストとコンパクトの両方である折衷解決法を提供する。
【００２３】
図５は、包絡線整形がない場合の包絡線経路と無線周波数経路の間の相対遅延に対する信号電力および隣接チャネル電力比（ＡＣＰＲ）を示したものである。図５に示されているように、信号電力は、遅延がない場合の４７ｄＢｍから８０ｎｓの遅延がある場合の４５ｄＢｍまで、ほぼ一直線で低下する。ＡＣＰＲは、遅延に伴って０ｎｓから４０ｎｓまで急激に大きくなる。包絡線整形がない場合、ＡＣＰＲは、ＶenvおよびＶRFを整列させることによって低減され得るが、アライメント許容誤差は、図５に示されているように極めて小さい。例えばＡＣＰＲ限界が−３５ｄＢｃである場合、許容誤差は４ｎｓである。
【００２４】
図６は、包絡線整形を有する一実施形態における、包絡線経路と無線周波数経路の間の相対遅延に対する信号電力および隣接チャネル電力比（ＡＣＰＲ）を示したものである。図５と図６を比較すると、信号電力は、遅延に対してはより低いレートで低下し、また、２０ｎｓ未満の遅延に対してはＡＣＰＲの少しの増加があることが分かる。図６に示されているように、ＥＳが適用されると、許容誤差が１４ｎｓまで大きくなる。また、図５および図６から、経路間の遅延が増加すると、信号電力（すなわち送信される信号）が低下することに留意されたい。ＥＳは信号電力の維持を促進する。これは、サンプルレートを２５０ＭＳｐｓから７０ＭＳｐｓまで落とすことに対応する。
【００２５】
図７は、一実施形態による送信機において使用される変調器の周波数応答を示したものである。図７は、典型的な包絡線変調器の測定された応答を示したものである。図７に示されているように、利得は、２ＭＨｚを超える周波数に対して、周波数とともに小さくなる。変調器のグループ遅延は、包絡線信号の帯域幅にわたって平らではないようである。変調器は、有限周波数応答のため、それの通過帯域においてグループ遅延リプル（group delay ripple）に遭遇する。グループ遅延リプルは、包絡線信号の異なる周波数成分に対して、異なる最適タイムアライメントをもたらすことになる。
【００２６】
したがって、実施形態の追加の利点は、送信機が包絡線変調器周波数応答に対してそれほどには敏感ではない（less sensitive to）ことである。
【００２７】
図８は、図７に示されている周波数応答を考慮した包絡線整形を有する一実施形態における、包絡線経路と無線周波数経路の間の相対遅延に対する信号電力および隣接チャネル電力比（ＡＣＰＲ）を示したものである。図８に示されているように、変調器が有限帯域幅および平らではないグループ遅延を有している場合であってもＡＣＰＲは影響されない。これは、ＥＳが使用されると、図７に存在している２０ｎｓグループ遅延リプルがＡＣＰＲを悪化させないことを立証している。
【００２８】
実施形態では、ＥＳ関数は、ＥＳが生成されるデジタルベースバンド内で適用される。
【００２９】
図９は、一実施形態による送信機を示したものである。送信機９００は、例えばハンドセット、基地局、テレビジョン送信機、またはＷｉ−Ｆｉ（例えばＩＥＥＥ８０１．１１ａｘ）アクセスポイントあるいはルータであってもよい。送信機９００は、図１に示されている実施形態などの包絡線追跡増幅器回路９１０、プロセッサ９２０、および包絡線整形関数９３２の指示を記憶するメモリ９３０を備えている。メモリ９３０は、包絡線整形関数をルックアップテーブルとして記憶することができる。別法としては、メモリ９３０は、包絡線整形関数をリアルタイムで計算するためにプロセッサ９２０によって使用されるパラメータの指示を記憶することも可能である。送信機は、包絡線追跡増幅器回路９１０の出力に結合されるアンテナ９１２をさらに備えている。包絡線追跡増幅器回路９１０は、アンテナ９１２からの伝送のために入力信号を増幅する際に包絡線信号を整形するために、メモリに記憶されている指示９３２によって指示される包絡線整形関数を使用する。プロセッサ９２０は、包絡線追跡増幅器回路９１０のＲＦ経路と包絡線経路の間のタイミングミスアライメントに対する送信機９００の感度を低減させるために、包絡線整形関数９３２を選択する方法を実行するように動作することができる。
【００３０】
図１０は、一実施形態による、包絡線整形関数を決定する方法を示すフローチャートである。図１０に示されているアルゴリズムでは、ＥＳ関数は、ＰＡの静的測定に基づいていないが、一組の規則に基づいて任意に選択され、次に、経路間の遅延が掃引されると反復される。
【００３１】
ステップＳ１００２で、汎用包絡線整形関数が生成される。汎用包絡線整形関数は、変更され得る少なくとも１つのパラメータを有している。ステップＳ１００４で、包絡線整形関数が、可変パラメータのための初期値を使用して適用される。包絡線追跡増幅器回路に試験信号が印加される。ステップＳ１００６で、時間遅延が異なる値を介して掃引される。時間遅延の掃引は離散的操作である。時間遅延は離散的ステップを介して掃引される。例えばサンプリングレートが１２５ＭＳｐｓである場合、時間遅延は８ｎｓ（１／１２５ＭＳｐｓ）ステップで調整される。ステップＳ１００７で、タイミングアライメントの掃引にわたってＡＣＰＲの平均値が計算される。
【００３２】
ステップＳ１００８で、掃引されたＡＣＰＴが先行する反復からのＡＣＰＲに対して記憶された値と比較される。最初にＡＣＰＲに対して記憶された値がゼロに設定され、したがって第１の反復では、計算された値は記憶された値より良好になる。ＡＣＰＲが先行する値より良好である場合、新しい値が記憶され、方法は、パラメータの値が増分されるステップＳ１０１０へと継続する。例えばＥＳ関数は、Ｖenv=ａ．｜Ｉ＋Ｑ｜b＋ｃであり得、ここで、ａおよびｂが設計によって定義され、次にｂが０から最適値が見出されるまで増分される。多数の掃引（sweeps）を比較することにより、図６に示されている低いＡＣＰＲ領域が延長され得る。
【００３３】
上記の例では、アルゴリズムはｂを増分する。例えばｂを減分し、ランダムにｂを選択し、または先行する値（previous value）から開始する他のアルゴリズムが使用され得る。
【００３４】
この説明では、低い値のＡＣＰＲがより良好な値であると見なされている。
【００３５】
ＡＣＰＲが先行する値より良好ではない場合、方法は、先行するＥＳ関数が使用されるステップＳ１０１２へ移動し、また、方法はステップＳ１０１４へ移動する。ステップＳ１０１４で最適タイミングアライメントが選択される。次に最適タイミングアライメントおよび最適化された包絡線整形関数がメモリに記憶される。ＥＳ関数の選択はタイミングアライメントに頑丈性を与えるため、最適タイミングアライメントの選択は、低下した精度を有し得ることに留意されたい。
【００３６】
実施形態では、試験信号は、実際に送信される信号の特性と同様の特性を有している。例えばアプリケーションがＬＴＥである場合、ＬＴＥ試験信号が使用される。これは仮定された事例ではあるが、他の試験信号も利用可能である。試験信号は、ＬＴＥと同様の特性を有し得るが、実際のＬＴＥ信号よりも生成およびモニタがより単純である。
【００３７】
上記の例では、包絡線整形関数は、Ｖenv=ａ．｜Ｉ＋Ｑ｜b＋ｃである。他の可能な関数が想定されている。例えばＶenv=ａ．｜Ｉ＋Ｑ｜b＋ｄ．｜Ｉ＋Ｑ｜e＋ｃ。代替は、ＩＦ（｜Ｉ＋Ｑ｜＞ｃ）、then Ｖenv＝｜Ｉ＋Ｑ｜、else Ｖenv＝ｃである。
【００３８】
図１０に示されている方法は、製造において実行され、次に、恐らくは不定期に、例えば月に一回実行される較正ルーチンとして実現され得る。反復されたＥＳは、次にメモリに記憶され、伝送が実施される毎に適用される。
【００３９】
ＥＳを適用することは効率を低下させ得ることに留意されたい。図４に示されているように、より大きな程度の整形は、ＶenvとＶoutの間の適合（fit）を減じることになる。ＥＳが大まかな経路アライメントを許容する場合、悪化した増幅器効率は、低下したサンプルレートのベースバンドの電力節約によって相殺され（offset by）得る。
【００４０】
図１に示されている実施形態では、遅延モジュールは無線周波数経路に存在し、他の実施形態では、遅延モジュールは、包絡線経路または両方の経路に置かれ得る。
【００４１】
実施形態は、タイミングミスアライメントに対する包絡線追跡送信機の感度を低減するため、また、事によるとシステム全体の電力消費を低減することになるベースバンドサンプリングレートを低下させるため、の低コスト解決法を提供する。さらに、実施形態は、既存のハードウェアの中に実現され得る。
【００４２】
特定の実施形態が説明されたが、これらの実施形態は、単なる一例として提供されたものにすぎず、本発明の範囲を制限することは意図されていない。実際、本明細書において説明されている新規な回路は、様々な他の形態で具体化されることが可能であり、さらに、本発明の精神から逸脱することなく、本明細書において説明されている方法および装置の形態の様々な省略、置換および変更が加えられ得る。添付の特許請求の範囲およびそれらの等価物には、本発明の範囲および精神の範疇であるこのような形態の修正を包含することが意図されている。
以下に、本願出願の当初の特許請求の範囲に記載された発明を付記する。
〔１〕
包絡線追跡増幅器回路と、前記包絡線追跡増幅器回路が、
電力増幅器、
入力信号の無線周波数成分を前記電力増幅器の入力に結合するように構成された無線周波数経路、
前記電力増幅器の供給電圧を包絡線信号で変調するように構成された包絡線経路、前記包絡線経路が、前記包絡線信号を得るために包絡線整形関数を使用して前記入力信号の包絡線を整形するように構成された包絡線整形モジュールを備える、および、
前記無線周波数経路および前記包絡線経路の相対タイミングアライメントを変化させるように構成された遅延ブロック
を備える、
前記包絡線整形モジュールによって使用される前記包絡線整形関数の指示のための記憶装置と、
プロセッサと、前記プロセッサが、
前記包絡線追跡増幅器回路に試験信号を印加し、前記無線周波数経路と前記包絡線経路の間の前記相対タイミングアライメントの掃引にわたって前記遅延ブロックを制御することと、
相対タイミングアライメントの前記掃引に対する前記包絡線追跡増幅器回路の出力のひずみの平均測度を決定することと、
前記包絡線追跡増幅器回路の出力のひずみの前記平均測度を、先行する反復に対する前記包絡線追跡増幅器回路の前記出力のひずみの平均測度と比較することと、
前記包絡線整形関数のために、前記先行する反復に対する前記包絡線追跡増幅器回路の前記出力のひずみの前記平均測度が、決定された前記包絡線追跡増幅器回路の前記出力のひずみの前記平均測度未満である場合、前記先行する反復から第１のパラメータの値を選択することと、
前記第１のパラメータに対して選択された値を有する前記包絡線整形関数の指示を前記記憶装置に記憶することと
によって、汎用包絡線整形関数の前記第１のパラメータの値を反復して探索するように動作することができる、
を備える、送信機。
〔２〕
前記プロセッサが、前記無線周波数経路と前記包絡線経路の間の最適タイミングアライメントを決定し、また、前記最適タイミングアライメントをメモリに記憶するようにさらに動作することができる、〔１〕に記載の送信機。
〔３〕
ひずみの前記測度が隣接チャネル電力比である、〔１〕に記載の送信機。
〔４〕
前記プロセッサが、第２のパラメータの値を最適化するようにさらに動作することができる、〔１〕に記載の送信機。
〔５〕
前記プロセッサが、効率および／または直線性に基づいて前記包絡線整形関数を選択するようにさらに動作することができる、〔１〕に記載の送信機。
〔６〕
包絡線追跡増幅器回路のための包絡線整形関数を最適化する方法であって、前記包絡線追跡増幅器回路が、電力増幅器と、入力信号の無線周波数成分を前記電力増幅器の入力に結合するように構成された無線周波数経路と、前記包絡線整形関数に従って前記入力信号の包絡線信号を整形するように構成された包絡線整形モジュールを備える包絡線経路と、前記包絡線経路が、前記整形された包絡線信号に応じて前記電力増幅器の供給電圧を修正するように構成される、および、前記無線周波数経路および前記包絡線経路の相対タイミングアライメントを変化させるように構成された遅延ブロックと、を備え、
前記方法が、
前記包絡線追跡増幅器回路に試験信号を印加し、前記無線周波数経路と前記包絡線経路の間の前記相対タイミングアライメントの掃引にわたって前記遅延ブロックを制御することと、
前記相対タイミングアライメントの前記掃引に対する前記包絡線追跡増幅器回路の出力のひずみの平均測度を決定することと、
前記包絡線追跡増幅器回路の出力のひずみの前記平均測度を、先行する反復に対する前記包絡線追跡増幅器回路の前記出力のひずみの平均測度と比較することと、
前記包絡線整形関数のために、前記先行する反復に対する前記包絡線追跡増幅器回路の前記出力のひずみの前記平均測度が、前記包絡線追跡増幅器回路の前記出力のひずみの決定された平均測度未満である場合、前記先行する反復から第１のパラメータの値を選択することと
によって、汎用包絡線整形関数の前記第１のパラメータの値を反復して探索することを備える、方法。
〔７〕
前記無線周波数経路と前記包絡線経路の間の最適タイミングアライメントを決定し、また、前記最適タイミングアライメントをメモリに記憶することをさらに備える、〔６〕に記載の方法。
〔８〕
ひずみの前記測度が隣接チャネル電力比である、〔６〕に記載の方法。
〔９〕
第２のパラメータの値を最適化することをさらに備える、〔６〕に記載の方法。
〔１０〕
効率および／または直線性に基づいて前記包絡線整形関数を選択することをさらに備える、〔６〕に記載の方法。
【図１】
0006470397.tif 000002
【図２】
0006470397.tif 000003
【図３】
0006470397.tif 000004
【図４】
0006470397.tif 000005
【図５】
0006470397.tif 000006
【図６】
0006470397.tif 000007
【図７】
0006470397.tif 000008
【図８】
0006470397.tif 000009
【図９】
0006470397.tif 000010
【図１０】
0006470397.tif 000011